(57)【要約】【課題】出欠状況をデジタル化でき、かつ、教授と学生間のコミュニケーションも取り易い出欠管理システムを提供する。【解決手段】デジタルペンを利用した出欠管理システムは、デジタルペン１と、デジタルペン１の専用紙である出欠記録用紙２と、デジタルペン１から無線通信で伝送される記入情報を処理する出欠管理端末３とから構成される。教授は、出欠記録用紙２に記載された学生の名前を点呼して学生の出欠を確認し、学生の出欠状況を出欠記録用紙２にデジタルペン１を利用して記入する。教授が出欠記録用紙２に記入した内容はデジタルペン１のメモリに記入情報として記憶され、講義終了後にデジタルペン１の記入情報は出欠管理端末３に伝送され、出欠管理端末３は伝送された記入情報を処理し、学生の出欠管理を行う。【選択図】図１
2007226659.tif 000002
【特許請求の範囲】
【請求項１】
デジタルペンを利用した出欠管理システムであって、前記出欠管理システムは、前記デジタルペンと、前記デジタルペンの専用である出欠記録用紙と、前記デジタルペンから出力される記入情報を利用し出欠管理を行う出欠管理端末とから、少なくとも構成され、
前記出欠記録用紙には、出欠を確認する対象者ごとに、出欠を意味する記号が前記デジタルペンで記入される出欠記入欄が印刷され、更に、前記記号が記入された前記出欠記録用紙内の座標を前記デジタルペンが認識するための情報を有し、
前記デジタルペンは、前記デジタルペンを用いて、出欠を意味する記号が前記出欠記入欄に記入されたときに、前記記入情報として、前記デジタルペンの軌跡を示すストローク情報、記入された前記出欠記録用紙内の座標を示す座標情報および記入された日時を示す時間情報を、少なくとも取得し記憶する手段と、記憶した前記記入情報を前記出欠管理端末に送信する手段とを備え、
前記出欠管理端末は、前記出欠記入欄が印刷されているエリアの前記座標情報を前記出欠記入欄ごとに示した用紙レイアウト情報を記憶し、更に、前記出欠管理端末は、前記デジタルペンから前記記入情報を受信する手段と、前記用紙レイアウト情報を参照し、前記デジタルペンから受信した前記記入情報から、出欠を確認する対象者、前記対象者の出欠状況および記入日時を割り出す手段を備えていることを特徴とする出欠管理システム。
【請求項２】
請求項１に記載のデジタルペンを利用した出欠管理システムにおいて、前記出欠記録用紙には、同種類の前記出欠記録用紙をそれぞれ識別管理するための情報である用紙管理情報を示す文字列が印刷され、前記出欠管理端末は、前記用紙レイアウト情報として、前記文字列に含まれる文字ごとに、前記文字が印刷されたエリアの前記座標情報と印刷された文字情報を記憶し、前記デジタルペンでチェックされた前記エリアの前記座標情報に関連付けられた前記文字情報から前記用紙管理情報を取得することを特徴とする出欠管理システム。
【請求項３】
デジタルペンを利用した出欠管理システムで利用される出欠記録用紙であって、出欠を確認する対象者の出欠を意味する記号が前記デジタルペンで記入される出欠記入欄が印刷され、更に、前記記号が記入された前記出欠記録用紙内の座標情報を前記デジタルペンが認識するための情報を有していることを特徴とする出欠記録用紙。
【請求項４】
請求項３に記載の出欠記録用紙であって、同種類の前記出欠記録用紙を識別管理するための情報である用紙管理情報を示す文字列が印刷されていることを特徴とする出欠記録用紙。
【請求項５】
請求項３または請求項４に記載の出欠記録用紙であって、前記出欠記入欄には、出欠を確認する回数分だけ前記対象者ごとに設けられていることを特徴とする出欠記録用紙。
【発明の詳細な説明】
【技術分野】
【０００１】
本発明は、デジタルペンを利用した出欠管理システム、および、この出欠管理システムで用いられる出欠記録用紙に関する。
【背景技術】
【０００２】
高度情報化社会の到来を受けて、学生の出欠管理業務などの学校業務のデジタル化が進んでいる。学校業務をデジタル化する際は、学生が所持するカード媒体を利用することが一般的で、特許文献１では、学生証ＩＣカ−ドを用いて学校業務（例えば、出欠記録や図書館の貸出しなど）を管理する学校管理装置が開示されている。
【０００３】
特許文献１の発明を適用して、学生の出欠を確認するときは、学生が教室に入る際に、ＩＣカ−ドゲ−ト装置のＩＣカ−ドリ−ダ・ライタに学生証ＩＣカ−ドを挿入することで、学生の出席者の情報を取得し、端末に出欠の一覧表が表示される。上述した技術を用いることで、出欠記録用紙で処理した学校業務をデジタル化することができ、学校業務の効率化が可能になる。
【０００４】
しかし、学生証ＩＣカードなどのカード媒体を利用した出欠管理では、教授と学生間のコミュニケーションに問題が生じてしまう。従来の点呼による出欠管理では、教授が一人一人の氏名を呼ぶので、教授は、学生の氏名と顔を一致させることができるばかりか、その時の学生の容態に合わせて話題を作るなどして、教授と学生との間でコミュニケーションをとることが可能であった。
【０００５】
これに対して、上述した学生証ＩＣカードを用いた出欠管理では、学生の出欠を確認するのはあくまでもＩＣカ−ドゲ−ト装置になってしまうため、教授と学生間のコミュニケーションが取りにくく、学生と教授が疎遠になってしまうケースがある。
【特許文献１】特開２００４−４０２７８号公報
【発明の開示】
【発明が解決しようとする課題】
【０００６】
そこで、本発明は、学校や企業の研修などにおいて出欠管理業務をデジタル化でき、かつ、教授と学生間のコミュニケーションも取り易い出欠管理システムおよび出欠記録用紙を提供することを目的とする。
【課題を解決するための手段】
【０００７】
上述した課題を解決する第１の発明は、デジタルペンを利用した出欠管理システムであって、前記出欠管理システムは、前記デジタルペンと、前記デジタルペンの専用である出欠記録用紙と、前記デジタルペンから出力される記入情報を利用し出欠管理を行う出欠管理端末とから、少なくとも構成され、
前記出欠記録用紙には、出欠を確認する対象者ごとに、出欠を意味する記号が前記デジタルペンで記入される出欠記入欄が印刷され、更に、前記記号が記入された前記出欠記録用紙内の座標を前記デジタルペンが認識するための情報を有し、
前記デジタルペンは、前記デジタルペンを用いて、出欠を意味する記号が前記出欠記入欄に記入されたときに、前記記入情報として、前記デジタルペンの軌跡を示すストローク情報、記入された前記出欠記録用紙内の座標を示す座標情報および記入された日時を示す時間情報を、少なくとも取得し記憶する手段と、記憶した前記記入情報を前記出欠管理端末に送信する手段とを備え、
前記出欠管理端末は、前記出欠記入欄が印刷されているエリアの前記座標情報を前記出欠記入欄ごとに示した用紙レイアウト情報を記憶し、更に、前記出欠管理端末は、前記デジタルペンから前記記入情報を受信する手段と、前記用紙レイアウト情報を参照し、前記デジタルペンから受信した前記記入情報から、出欠を確認する対象者、前記対象者の出欠状況および記入日時を割り出す手段を備えていることを特徴とする。
【０００８】
なお、第１の発明において、前記出欠記録用紙には、同種類の前記出欠記録用紙をそれぞれ識別管理するための情報である用紙管理情報を示す文字列が印刷され、前記出欠管理端末は、前記用紙レイアウト情報として、前記文字列の各文字が印刷されたそれぞれのエリアの前記座標情報と前記エリアに印刷された文字情報を記憶し、前記デジタルペンでチェックされた前記エリアの前記座標情報に関連付けられた前記文字情報から前記用紙管理情報を取得することが望ましい。
【０００９】
更に、第２の発明は、デジタルペンを利用した出欠管理システムで利用される出欠記録用紙であって、出欠を確認する対象者ごとに、出欠を意味する記号が前記デジタルペンで記入される出欠記入欄が印刷され、更に、前記記号が記入された前記出欠記録用紙内の座標情報を前記デジタルペンが認識するための情報を有していることを特徴とする。
【００１０】
なお、第２の発明において、同種類の前記出欠記録用紙を識別管理するための情報である用紙管理情報を示す文字列が印刷されていることが望ましい。また、前記出欠記入欄は、出欠を確認する回数分だけ前記対象者ごとに設けられていることが望ましい。
【発明の効果】
【００１１】
上述した本発明によれば、従来の紙媒体と同じ方法で教授は出欠を取ることが可能になり、教授は学生の名前を点呼して学生の出欠を確認するため、教授は、学生の氏名と顔を一致させることができるばかりか、その時の学生の容態に合わせて話題を作るなどして、教授と学生との間でコミュニケーションをとることが容易になる。
【００１２】
また、出欠記録用紙に記入された内容はデジタルペンのメモリにデジタル化されて記憶されるため、デジタルペンに記憶された記入情報を利用することで、出欠管理業務の効率化が図れ、更に、現状の紙媒体と同じ方式で出欠をとれるため、スムーズなシステム導入が可能になる。
【００１３】
更に、出欠記録用紙に、出欠を確認する回数分だけ対象者ごとに出欠記入欄を設けることで、一枚の出欠記録用紙で複数回の出欠をとれるため、学生などの対象者の出欠状況を確認するために出欠一覧表をわざわざ出力する必要はなくなる。
【００１４】
また、出欠記録用紙を管理するための情報である用紙管理情報を示す文字列を出欠記録用紙に印刷し、デジタルペンにそれぞれの文字を認識させることで、デジタルペンで記入した出欠記録用紙を判定することが可能になる。
【発明を実施するための最良の形態】
【００１５】
ここから本発明に係り、デジタルペンを利用した出欠管理システム、および、この出欠管理システムで利用される出欠記録用紙について、図を参照しながら詳細に説明する。図１は、デジタルペンを利用した出欠管理システムの構成を説明する図である。
【００１６】
図１に示したように、デジタルペンを利用した出欠管理システムは、デジタルペン１と、デジタルペン１と組み合わされて使用され、デジタルペン１の専用紙である出欠記録用紙２と、デジタルペン１から無線通信で伝送される情報を処理する出欠管理端末３とから構成される。
【００１７】
なお、図１において出欠管理端末３は１台のコンピュータで実現しているように図示しているが、出欠管理端末３は、クライアントサーバシステムのように複数台のコンピュータ・サーバから構成されいてもよい。
【００１８】
図１で示したシステムにおいては、教授は、出欠記録用紙２に記載された学生の名前を点呼して学生の出欠を確認し、学生の出欠状況を出欠記録用紙２にデジタルペン１を利用して記入する。出欠記録用紙２に記入した内容はデジタルペン１のメモリに記入情報として記憶され、講義終了後にデジタルペン１の記入情報は出欠管理端末３に伝送される。デジタルペン１から伝送された記入情報を出欠管理端末３は処理し、学生の出欠管理を行う。
【００１９】
このように本発明の出欠管理システムを用いれば、教授は学生の名前を点呼して学生の出欠を確認するため、教授は、学生の氏名と顔を一致させることができるばかりか、その時の学生の容態に合わせて話題を作るなどして、教授と学生との間でコミュニケーションをとることが可能になる。
【００２０】
また、出欠記録用紙２に記入された内容はデジタルペン１のメモリにデジタル化されて記憶されるため、デジタルペン１に記憶された記入情報を利用することで、出欠管理業務をデジタル化し、出欠管理業務処理の効率化が図れる。
【００２１】
本実施の形態において、デジタルペン１はＡｎｏｔｏ社製のデジタルペンであり、出欠記録用紙２も同社のデジタルペンに対応する専用紙としている。デジタルペン１をＡｎｏｔｏ社製としているのは、本発明に必要なデジタルペンの機能をＡｎｏｔｏ社製のデジタルペンで実現できるからである。
【００２２】
ここから、本発明をより理解されるように、デジタルペン１の仕組みについて簡単に説明する。図２はデジタルペン１のブロック図、図３はデジタルペン１の専用紙に印刷されるドットパターンを説明する図である。
【００２３】
図３（ａ）に示したように、専用紙には、カーボンを含んだ赤外吸収性を有する特殊インキを用いて、格子状のドットパターンが印刷されている。ドットパターンの各ドットは、格子状の交点において上下左右のいずれかの方向に微妙にずれた状態で配置される。図３（ｂ）に示したように、ドットの配置位置は意味を持ち、一つのドットで２2通りを表現することができる。
【００２４】
実際には、ドットパターンは、６ドット×６ドットの面積を一単位として読取られ、一単位で一つの座標を表している。上述したように、一つのドットで２2通りを表現することができるので、３６個のドットすべてで２72通りの座標を表現することができる。
【００２５】
この２72通りの座標を全て網羅できる面積は、非常に膨大な面積になるため、この膨大の面積の一部分を専用紙に割当て、割当てられた部分には専用紙ごとに固有の識別番号が割り振られる。よって、予め専用紙に割り当てられた座標とその識別番号とを記憶していれば、ユーザが記入した専用紙上のドットパターンを読み取ることで、専用紙の識別が可能である。
【００２６】
また、上述したように、専用紙全体でドットパターンはすべて異なることになるため、デジタルペン１で記入したときのドットパターンさえ分かれば、専用紙上に記入された座標が分かり、ユーザが記入している箇所を特定できる。
【００２７】
更に、ユーザがデジタルペン１で記入しているときに、デジタルペン１が高速（５０回〜１００回／秒）でこのドットパターンを撮像し、撮像したドットパターンから得られる座標を解析することで、デジタルペン１の軌跡であるストローク情報を取得できる。このストローク情報をＯＣＲなどの技術を利用して解析することで、ユーザが記入した文字情報を取得することができる。
【００２８】
図２に示したように、デジタルペン１には、従来のペンとして機能するボールペン部１４に加え、デジタルペン１として機能するために、出欠記録用紙２上に印刷されたドットパターンを読取る手段であるカメラ１１と、出欠管理装置３と無線通信するための手段である無線通信手段１２と、ボールペン部１４のペン先に加わる圧力を計測するための筆圧センサ１３と、デジタルペン１に電力を供給するためバッテリー１５と、画像処理などの行うためのイメージプロセッサ１０と、イメージプロセッサが処理したデータを記憶するメモリ１６を備えている。
【００２９】
専用紙上に印刷されたドットパターンを読取る手段であるカメラ１１は光源と光学系を備えている。上述しているように、ドットパターンは、カーボンを含んだ特殊インキで専用紙上に印刷されているため、カメラ１１が赤外線を利用し専用紙上を撮像することで、カメラ１１は出欠記録用紙２上のドットパターンだけを認識することができる。
【００３０】
デジタルペン１に備えられた無線通信手段１２は、パーソナルコンピュータ用の無線通信手段であればよく、Ａｎｏｔｏ社製のデジタルペン１では無線通信手段１２としてブルートゥースを備えている。当然のことながら、無線通信手段１２はブルートゥース以外の手段、例えば、ＺｉｇＢｅｅや赤外線通信でもよく、更には、ＵＳＢなど有線で通信を行う手段であっても構わない。
【００３１】
筆圧センサ１３は、ユーザがデジタルペン１により出欠記録用紙２上に文字などを書く際、ボールペン部１４の先端に加わる圧力すなわち筆圧を検出し、イメージプロセッサ１０へ供給する手段である。イメージプロセッサ１０は筆圧センサ１３から送信される信号を参照することで、ボールペン部１４のペン先がＯＮ状態、すなわち、出欠記録用紙２に接した状態（＝記入している状態）であるか、ＯＦＦ状態、すなわち、出欠記録用紙２に接していない状態（＝記入していない状態）であるか判断できる。
【００３２】
画像処理を行うイメージプロセッサ１０は、ボールペン部１４のペン先がＯＮ状態であるときに、カメラ１１が高速（５０回〜１００回／秒）でドットパターンを撮像し、ドットパターンを読取った箇所の座標を示すドットパターン情報を取得する。
【００３３】
そして、ドットパターンを撮像した時間情報、ドットパターン情報、および、ドットパターン情報を解析することで得られるストローク情報を少なくとも記入情報として、時系列でメモリ１６に記憶する。記憶した記入情報はデジタルペン１から外部装置（ここでは、出欠管理端末３）に、無線通信手段１２で送信される。
【００３４】
次に、デジタルペン１の専用紙で、本実施の形態で用いられる出欠記録用紙２について説明する。図４は出欠記録用紙２を説明する図である。出欠記録用紙２には、赤外吸収性を有しないインキ（例えば、プロセスカラーのインキ）を用いて、上述したドットパターン上に、図４で示した絵柄が印刷されている。
【００３５】
上述しているように、出欠記録用紙２の全面においてドットパターンは全て異るため、出欠記録用紙２に印刷された絵柄ごとに、絵柄が印刷されているエリアの座標を把握しておけば、デジタルペン１に記憶された記入情報から、絵柄が印刷されているエリア内に記入された内容が把握可能になる。
【００３６】
図４で示したように出欠記録用紙２には、講義ＩＤ、講義名などの講義情報２０に加え、デジタルペン１でチェックされる講義ＩＤ欄２１と、デジタルペン１で出欠を意味する記号が記入される出欠記入欄２２とが少なくとも備えられている。
【００３７】
出欠記録用紙２の講義情報２０とは、講義ＩＤ、講義名、開講時期など講義内容を表す文書が印刷され、一つの講義には一つのユニークな講義ＩＤが割当てられる。当然のことながら、講義毎に講義情報２０は異なるため、出欠記録用紙２には講義情報２０がプリンターなどで印刷されている。なお、講義情報２０は、教授が講義内容を把握するためだけに利用される情報であるため、講義情報２０にはデジタルペン１で記入されることはない。
【００３８】
デジタルペン１に講義ＩＤを入力するときに利用する絵柄として、出欠記録用紙２には講義ＩＤ欄２１が印刷されている。デジタルペン１に講義ＩＤを入力するときに利用される講義ＩＤ欄２１には、マトリクス状に数字が配列され、講義情報２０の講義ＩＤに対応する数字の上には「＊」がプリンターなどで印刷されている。
【００３９】
教授は学生の出欠を確認する前に、デジタルペン１を用いて講義ＩＤ欄２１の「＊」が印刷された数字をチェックし、デジタルペン１はチェックしたときにドットパターン情報を読取る。予め、「＊」が印刷された数字を記憶しておけば、このドットパターン情報から出欠記録用紙２の講義ＩＤを特定できる。
【００４０】
なお、デジタルペン１で講義ＩＤ欄２１をチェックするときは、「＊」が印字している箇所にデジタルペン１のボールペン部１４のペン先を押し当てればよく、講義ＩＤ欄２１に専用の記号等をデジタルペン１で記入する必要はない。ボールペン部１４のペン先を押し当てることで、デジタルペン１の筆圧センサ１３がＯＮ状態になり、カメラ１１がドットパターンを読取る。
【００４１】
出欠記録用紙２の出欠記入欄２２には、講義ＩＤで特定される講義を受講する学生ごとに、学生番号と氏名、そして、講義の出欠を記載する欄が設けられる。図４で示したように、出欠記録用紙２は１回の講義毎のみ利用するものではなく、講義期間内で継続的に利用できるように、講義回数ごとに出欠を記載できる欄（ここでは、１０回まで）が出欠記入欄には設けられている。どの講義回数の出欠であるかは、記入した欄の座標から特定できる。
【００４２】
図５は、出欠記入欄２２に記載するマークの一例を示した図である。図５に示したように、本実施の形態では、出席したときは○印を、欠席したときには斜線を、遅刻したときには×印を記載する。デジタルペン１で記入されたこれらのストローク情報は、時間情報、ドットパターン情報とともにデジタルペン１のメモリ１６に記憶される。
【００４３】
例えば、講義開始時に点呼してもいない学生については、学生の出欠記入欄２２には右下がりの斜線が記入される。そして、講義開始してからしばらく経過した後に学生が入出した場合は、その学生の出欠記入欄２２に右上がりの斜線が記入され、出欠記入欄２２は遅刻を示す×印となる。
【００４４】
このとき、右下がりの斜線を引いた時間と右上がりの斜線を引いた時間は異なるが、同じ欄に記入されたことがドットパターン情報から把握できるため、同じ欄に記入されたストローク情報から、出欠管理端末３はこの学生が遅刻したと判定できる。
【００４５】
図６は出欠管理端末３のブロック図である。図６に示したように、出欠管理端末３は、デジタルペン１と無線通信する手段である無線通信手段３１と、情報を記憶する手段である情報記憶手段３２と、出欠管理端末３を制御する制御手段３０を備えている。
【００４６】
情報記憶手段３２とは大容量の情報を記憶できるハードディスクなどで実現され、この情報記憶手段３２には、少なくとも、出欠記録用紙２に割り振られた座標を示す用紙座標情報３２０と、出欠記録用紙２に印刷された絵柄ごとに、絵柄が印刷されているエリアの座標が示された用紙レイアウト情報３２１とが記憶される。
【００４７】
本実施の形態において、用紙レイアウト情報３２１には、講義ＩＤが印刷されている座標とその座標に対応した数値、そして、講義回数ごとに、学生番号で特定される学生の出欠が記録される各欄の座標が少なくとも記述されている。用紙レイアウト情報３２１を参照することで、デジタルペン１でチェックされた講義ＩＤ欄２１のドットパターン情報から講義ＩＤを特定でき、出欠が記入されたドットパターン情報から、講義回数と学生の学生番号を特定することができる。
【００４８】
出欠管理端末３の制御手段３０とは、コンピュータのマザーボードのようにＣＰＵとメモリなどから構成され、デジタルペン１から伝送された記入情報を処理し、学生の出欠管理を行う手段である。
【００４９】
制御手段３０は、デジタルペン１から伝送された記入情報に含まれる少なくとも一つのドットパターン情報と用紙座標情報３２０とを参照することで、デジタルペン１で記入された出欠記録用紙２を特定する。そして、記入情報に含まれるドットパターン情報と用紙レイアウト情報３２１から、デジタルペン１から教授が記入した箇所を特定する。出欠記録用紙２に記入された日時は、記入情報に含まれる時間情報から得ることができる。
【００５０】
制御手段３０は、ドットパターン情報で示される座標が講義ＩＤ欄２１である場合には、ストローク情報を解析することなく、用紙レイアウト情報３２１を参照して講義ＩＤを割り出す。また、ユーザが記入した箇所が出欠記入欄２２ならば、用紙レイアウト情報３２１を参照して、ドットパターン情報で示される座標から学生番号と講義回数を割り出し、各欄に記入されたストローク情報を解析することで、その学生の出欠（出席、欠席または遅刻）を判定する。判定結果は情報記憶手段３２の出欠一覧表（図示はしていない）などに記憶される。
【００５１】
図７は、デジタルペンを利用した出欠管理システムの一連の処理手順を示したフロー図である。この手順の最初のステップＳ１は講義ＩＤをチェックするステップである。このステップにおいて、教授がデジタルペン１を用いて、講義ＩＤ欄２１の「＊」が印刷された数字をすべてチェックすることで、デジタルペン１には、記入情報として少なくともチェックした箇所の時間情報とドットパターン情報が記憶される。
【００５２】
次のステップＳ２は、学生の出欠を確認するステップである。このステップでは、教授が出欠記録用紙２に記載された学生の氏名を点呼することで、学生の出欠を確認し、デジタルペン１を用いて出欠を出欠記入欄２２に記載する。このステップでデジタルペン１には、記入情報として、記入したときの時間情報、記入した箇所のドットパターン情報およびストローク情報が記憶される。
【００５３】
次のステップＳ３は、出欠情報を出欠管理端末３に入力するステップである。このステップでは、デジタルペン１の専用紙に記載された「送信」絵柄を、デジタルペン１でチェックするなどして、デジタルペン１に記憶された記入情報が無線通信手段１２によって出欠管理端末３に送信される。送信されたこれらの情報は、出欠管理端末３で処理される。
【図面の簡単な説明】
【００５４】
【図１】デジタルペンを利用した出欠管理システムの構成を説明する図。
【図２】デジタルペンのブロック図。
【図３】デジタルペンの専用紙に印刷されるドットパターンを説明する図。
【図４】出欠記録用紙を説明する図。
【図５】出欠記入欄に記載するマークの一例を示した図。
【図６】出欠管理端末のブロック図。
【図７】デジタルペンを利用した出欠管理システムの一連の処理手順を示したフロー図。
【符号の説明】
【００５５】
１  デジタルペン
２  出欠記録用紙
２０  講義情報
２１  講義ＩＤ欄
２２  出欠記入欄
３  出欠管理端末
３０  制御手段
３１  無線通信手段
３２  情報記憶手段
３２０  用紙座標情報
３２１  用紙レイアウト情報
【図１】
2007226659.tif 000003
【図２】
2007226659.tif 000004
【図３】
2007226659.tif 000005
【図４】
2007226659.tif 000006
【図５】
2007226659.tif 000007
【図６】
2007226659.tif 000008
【図７】
2007226659.tif 000009